(57)【特許請求の範囲】
【請求項１】
書物受け台と、該書物受け台に載置された本の地側端側を受ける当て板を有し且つ、該本の見開きの地側の縁部を拘束する任意の構成からなるめくれ止めを有する書見台において、前記書物受け台をその中央位置で左右に分割して天地方向に設けられ、載置する本の綴じ部が嵌入する凹溝と、該凹溝の底部の天側寄りの一部分に天地方向に縦長に設けられた空孔がありまた、軸心の回りに回転可能な腕と、該腕の回転の偶力を生じる装置とを保持し、前記軸心方向の両翼に前記腕に連結された任意の形状の一対の天側のめくれ止めを有するめくれ止め支持体があり、該めくれ止め支持体を前記凹溝に沿って天地方向に移動させ、前記天側のめくれ止めが回転操作により載置された本の見開きの左右の天側の縁部を拘束する位置に配置し、かつ、前記の回転の偶力により拘束するようにした書見台であり、そのように前記天側のめくれ止めを有するめくれ止め支持体を前記凹溝上に配置し固定する手段が、該めくれ止め支持体の底部を該凹溝の天地方向に摺動自在に嵌入し、該底部に設けた雌螺子に、凹溝に設けられた前記空孔を貫通する螺子を螺着させるようにした書見台。
【請求項２】
請求項１に記載の書見台において、前記凹溝に天地方向に摺動自在に嵌入された短冊状の摺動板部の天側端部に、前記めくれ止め支持体の底部を前記めくれ止め支持体が有する前記腕が回転する軸心が天地方向に直角にかつ、書物受け台の左右方向に平行になるように固定し、該摺動板の天側端部と、その地側に一定の間隔を隔てて雌螺子を設け、そのいずれかに、前記凹溝に設けられた前記空孔を貫通する螺子を螺着させるようにした書見台。
【請求項３】
請求項１に記載の書見台において、前記凹溝に天地方向に摺動自在に嵌入された短冊状の摺動板部と、該摺動板部の天側端部に直角に、前記書物受け台の面に対して上向きに、側面が天地方向に対面して突設され、前記書物受け台の面に対して上下方向に縦長の空孔を設けた取り付け板部とからなるＬ型部材の前記空孔を貫通する螺子を、前記めくれ止め支持体の側部に設けた雌螺子に、前記腕が回転する軸心が天地方向に直角にかつ、書物受け台の左右方向に平行になるように螺着し、前記摺動板部の天側端部と、地側に一定の間隔を隔てて雌螺子を設け、そのいずれかに、前記凹溝に設けられた前記空孔を貫通する螺子を螺着させるようにした書見台。
【請求項４】
請求項１〜３のいずれかに記載の書見台において、前記めくれ止め支持体の底部、または、前記めくれ止め支持体を具備する前記摺動板、または、前記めくれ止め支持体を具備する前記Ｌ型部材の摺動板部を、前記凹溝の底部の空孔を貫通する螺子で該凹溝の底部に螺着するために設けられた雌螺子のいずれかの部位に螺着の手段で固定され、凹溝の底部にもうけられた前記空孔を貫通して突設された柱状部材と、該柱状部材の外端に固定された頭部と、平板を屈曲して、その外端に対して中央部位が凸部を形成し、ばね弾性を有してなるばね座金とがあり、該ばね座金は、前記中央部位に設けた孔に前記柱状部材が貫通し、前記凸部が、前記頭部の裏面に接し、一定の撓みを与えられて前記外端周縁の側面が前記凹溝の底部の裏面に接して装着され、該ばね座金の前記の撓みによるばね力により、前記めくれ止め支持体の底部、または、前記摺動板、又は、前記Ｌ型部材の摺動板部のいずれかを前記凹溝の底部の表面に押し付け、その状態で前記めくれ止め支持体を手で把持して天地方向に摺動させることにより、該めくれ止め支持体が具備する天側のめくれ止めが載置した本の見開きの天側の縁部を拘束するのに適した位置に移動させ、その位置で前記ばね座金のばね力により前記めくれ止め支持体を直接または、前記摺動板または、前記Ｌ型部材を介して前記凹溝の底部に保持してなる書見台。
【請求項５】
請求項１〜４のいずれかに記載の書見台のにおいて、載置された本の地側端側を受ける当て板の天側の面より天側に超えない位置に設けられた支持部材、または前記当て板を兼用する支持部材に固定され、前記書物受け台の中央位置に対して左右対称に、該中央位置は切り欠いて天方向に突設され、本の見開きの地側の縁部を拘束するようにした左右一対のめくれ止めであり、該めくれ止めは、その面が前記書物受け台の面に対面する板状体からなる書見台。
【請求項６】
請求項１〜４のいずれかに記載の書見台において、書物受け台の左右方向中央位置の地側の、前記当て板の天側の面を超えない位置に、または前記当て板を兼用して、側面が天地方向に対面して、書物受け台の面に対して上向きに突設された取り付け板と、該取り付け板の地側の面に、相互に設けられた案内手段により前記書物受け台の面に対して上下方向に摺動可能に接し、前記上下方向に縦長の空孔を設けためくれ止め支持板と、該支持板の両側から左右に伸長した一対の腕を有し、該腕の両端に天方向に突設され、書物受け台の面に対面する板状体からなる左右一対のめくれ止めがあり、前記めくれ止め支持板を前記取り付け板に接して上下方向に摺動させ、載置する本の厚さに適当な位置に、前記取り付け板に設けられた雌螺子に、前記空孔を貫通する螺子を螺着し、前記めくれ止めが本の見開きの地側の縁部を拘束するようにした書見台。
【請求項７】
書物受け台の地側端側に突設された支持部材に連結され、前記書物受け台の中央位置に対して左右対称に、その中間を切り欠いて天側に向かい突設され、その側面が前記書物受け台の上面に対面する板状体の一対の地側のめくれ止めを有し、かつ、前記書物受け台の天側または、天側の外側に請求項１に記載しためくれ止め支持体と該めくれ止め支持体が具備する腕に保持された任意の形状の天側のめくれ止めを配置し、前記天、地側の両めくれ止めにより載置された本の見開きの天、地側の縁部を拘束するようにした書見台。
【請求項８】
屈曲した外周を有するカムと、該カムの外周に接して撓みを与えられ、該カムの回転による外周の接触点の変位により前記撓みの大きさに変化をあたえられる板ばね、または線ばねと、前記カムを支承する軸と、該軸を支承する側板と、前記カムの外周、または、該カムと同軸に固定され外方に突出し，該カムと一体に回転する腕と、上部に前記ばねを支障する面を有し、また前記側板が側面に固定されている支持部材とを有してなるめくれ止め支持体であり、該めくれ止め支持体を書見台の所定の位置に配置し、前記腕に連結された任意の形状を有するめくれ止めが、前記カム面から与えられる前記ばねの撓みによるばね力によって生じる該カムの回転の偶力により、本の見開きの縁部を拘束するようにした、書見台用のめくれ止め支持体。
【請求項９】
平板を屈曲し、その外端に対して中央部位が凸部を形成し、該中央部位の側面に垂直な方向にばね弾性を有してなるばね座金と、該ばね座金の外端周縁の側面が、直接又は平板状の摩擦板を介して摺動可能に、その側面に接する平板状の回転体と、該回転体を支承する軸と、該軸を支承し、前記ばね座金に軸方向に一定の撓みを与え、かつ、前記軸回りの回転を拘束する手段を具備する側板と、前記回転体の外周又は該回転体と同軸に固定され外方に突出し、該回転体と一体に回転する腕と、前記側板が側面に固定されている支持部材とを有してなるめくれ止め支持体であり、該めくれ止め支持体を書見台の所定の位置に配置し、前記腕に連結された任意の形状を有するめくれ止めが、前記回転体に接するばね座金の撓みによるばね力によって生じる前記回転体の回転の摩擦力により、本の見開きの縁部を拘束するようにした、書見台用のめくれ止め支持体。
【発明の詳細な説明】
【技術分野】
【０００１】  本の頁を開き手をはなすと、自然に頁がめくれてしまう不便に対応して、その頁を天地で止めるようにした書見台の構成およびそのめくれ止めの構造に関わるものである。
【背景技術】
【０００２】  従来、種々の構造の書見台が提案されているが、見開きの紙面の地側と天側の余白部分をめくれ止めで拘束することにより、本のめくれを完全に止めることができ、また、本の版の大きさが替わってもその作用に対応できるようにし、また、めくれ止めが軸心の回りに回転する構造により、或る程度の本の厚さの範囲にも適用できる利点を有する書見台が、実案文献１に開示されている。【０００３】  前記の文献による方法は、書見台の左右方向の中央に位置して、その地側の側部に設けた棚材に、左右方向に伸張して回転可能な軸とその軸の両翼位置に軸に直角に突出しためくれ止めを有する。更に前記の地側の側部中央から天側方向に突設した溝材の内部を天地方向に摺動する縦長の摺動板の天側端部に、その摺動板に直角にブラケットの下端を固定し、その上端に左右方向に伸長した軸心の回りに回転可能なヒンジ方式で結合された横長の部材を設け、その両翼位置にめくれ止めが直角に突設されている。且つ、そのヒンジはその回転のための偶力が、めくれ止めが紙面から受ける抗力に勝る大きさで結合されている。前記摺動板の縦の縁に、載置する本の版の各種の大きさ（縦方向の長さ）に対応する位置にその版毎に切り欠き又は突起を設け、その部分を前記溝材の側板の上端に掛け止めすることにより前記摺動板は溝材に固定され、その摺動板に上記のようにブラケットおよびヒンジで連結されためくれ止めをヒンジの軸心の回りに回転させ、版の大きさに応じて丁度紙面の天側の余白を押えるようになされる。又、地側のめくれ止めも同様に、前記棚材に設けた軸の回りに回転させ、前記棚材にその側面が接している本の見開きの地側の余白をめくれ止めが押えるようになされる。
【実案文献１】
登録実用新案第３０３１４６６号
【発明の開示】
【発明が解決しようとする課題】
【０００４】  しかしながら、前記の考案による、天側のめくり止めの位置を決めるために摺動板の縁に設けた切り欠き又は突起を溝材の側板の上端に掛け止めする方法は、前記摺動板の縁に、効果的な掛け止めが可能な切り欠き又は突起を設けることが出来る数は、形状的に極めて限定され、多様な本の版の種類に適用するには、選択できる版の種類は極めて限定されたものである。【０００５】  又、前記の考案のような軸心の回りにめくれ止めが連続的に回転する方法は、
【数１】
0005257808.tif 000002
回転半径；めくれ止めが回転する軸心からめくれ止めが紙面の余白を止める位置までの長さであり、ある程度の本の厚さの範囲に適用できるという利点がある。しかしながら、より広い範囲の本の厚さに適用させるには、前記めくれ止めが回転する回転半径をより長くする必要があり、その長さの増加分だけ書見台の天地方向が長くなり、かつ、
【数２】
0005257808.tif 000003
でなければならないから、回転半径の増加分だけその偶力をより大きく設定しなければならず、めくれ止め回転装置の剛性をより大きくしなければならない。【０００６】  また、前記考案は、軸心の回りに回転するめくれ止めの構成に、開かれた本の紙面から受ける反発力に抵抗できる大きさの回転の偶力を持ったヒンジ機構が用いられると表現されているが、ヒンジは一般的には遊動的な回転機構に用いられるものであり、前記のような偶力が安定して得られるようなヒンジがどのような構成で得られるかの説明がなされていない。つまり、［数２］の左辺の項の偶力のレベルが不明確であり、従って右辺の回転半径の採りうる大きさの程度も不明確であり、そのことにより［数１］の左辺の項のめくれ止めが作用できる距離の範囲が不明確であるという問題点がある。【０００７】  また、前記考案は、頁をめくる際に天地側両方のめくれ止めを前後方向に回転させなければならない。若し天側のめくれ止めの回転操作のみで頁めくりが実施できれば頁めくりの操作をより迅速に実施できる。【０００８】  以上のような課題を要約すると、
▲イ▼載置できる本の版の種類が少ない。
▲ロ▼広範な本の厚さの範囲に対応できないかも知れない。
▲ハ▼めくれ止めの回転偶力の信頼性が不明確。
▲ニ▼頁めくりをより迅速にできないか。【０００９】  以上のような従来の技術の問題点に対して、前記考案のように、天、地の両側にめくれ止めを使用して、本の見開きのめくれを完全に止め、少なくとも天側に軸の回りに回転するめくれ止めを使用しかつ、さらに多様な本の版の大きさ（縦方向の本の長さ）に適用でき、又広範な本の厚さにも適用できる書見台について提案する。また、頁めくりを、天側に軸の回りに回転するめくれ止めを使用し、天側のめくれ止めの回転操作のみで、地側のめくれ止めを回転させることなく実施することにより、頁めくりをより迅速化した書見台の構成とその地側のめくれ止めについて提案する。また、本提案の書見台に使用し、その他の任意の構成の書見台にも適用可能な、軸の回りにめくれ止めが回転し、紙面から受ける抗力に勝る偶力で、紙面の縁部を保持できるようにしためくれ止め支持体について提案する。
【課題を解決するための手段】
【００１０】  請求項１の発明では、多様な本の版の大きさに適用できるようにするために、軸の回りにめくれ止めが回転する装置を具備する天側のめくれ止め支持体を、書見台の天側に配置する手段に関わるものであり、書物受け台の地側の端部に、その書物受け台に載置れた本の地側端側を突き当て本の天地方向の位置決めを行うための当て板を設け、また、地側のめくれ止めの構成については本請求項の範囲外であるが、地側のめくれ止めの手段の一例として、書物受け台の地側の外側に近接して、軸心の回りに回転する回転体に連結され、その回転の軸心方向に伸張した両翼に任意の形状のめくれ止めを有し、該めくれ止めが、保持する紙面から受ける抗力に勝る回転の偶力を有するめくれ止め支持体を、前記のめくれ止めが回転操作により丁度見開きの左右の紙面の地側の縁部を押える位置になるように書見台上に固定する。【００１１】  本請求項の前記天側のめくれ止め支持体を書見台上に配置する第一の手段として、書物受け台をその中央位置で左右に分割して天地方向に設けられ、書物受け台の天側端部より更に天側に突出しかつ、天側端部が開放している凹溝があり、該凹溝の底部の天側寄りの一部分に、天地方向に縦長の空孔を設け、前記地側のめくれ止め支持体と同じ構成からなり、その底部が嵌入して上記凹溝の底面と側壁に沿って摺動可能な天側のめくれ止め支持体を前記凹溝に沿って天地方向に移動させ、載置する本の版の大きさ（天地方向の長さ）に対応して、そのめくれ止めが回転操作により紙面の天側の縁部を押える位置に調整し、前記凹溝の底部の裏側から前記空孔を貫通する螺子を、前記天側のめくれ止め支持体の底部に設けた雌螺子に螺着することにより、前記凹溝に設けた空孔の天地方向の有効長（貫通した前記螺子が該空孔内を移動できる長さ）相当の本の天地方向の長さの違いの範囲に対応して天地側のめくれ止めが可能となる。【００１２】  請求項２の発明では、前記天側のめくれ止め支持体を書見台上に配置する第二の手段として、更に大きい本の版に対応するために、前記凹溝に嵌入しその底面と側壁に沿って摺動可能な短冊状の摺動板を設け、その天側端部に前記天側のめくれ止め支持体の底面を固定し、該摺動板の天側端部（めくれ止め支持体の底部）と、地側に一定の距離を隔てた位置に雌螺子を設け、地側に設けた雌螺子に前記凹溝の底部の裏側から前記空孔内を貫通する螺子を螺着させ、該摺動板を前記凹溝の底部に固定することにより、前記摺動板の天地間に設けた雌螺子間の長さに相当する長さの範囲で、めくれ止め支持体の底部に螺着する場合よりさらに版の大きい本のめくれ止めが可能となる。因みに、摺動板の天側に設けた雌螺子は請求項１と同様に使用される。【００１３】  請求項３の発明では、前記天側のめくれ止め支持体を書見台上に配置する第三の手段として、本の広範な厚さに適用できるようにするために、前記摺動板の天側端部に該摺動板に直角に平板状の取り付け板を付加した形のＬ型部材を設け、そのＬ型部材の摺動板部分を前記凹溝の底面に接触するように嵌入した状態で、前記取り付け板部分が前記凹溝に対して直角にかつ、側面が天地方向に対面して上向きに突出しており、該取り付け板部分に上下方向に縦長の空孔を設け、���記天側めくれ止め支持体の背側面に設けた雌螺子に、前記空孔を貫通する螺子を螺着させて、前記取り付け板に前記天側のめくれ止め支持体を固定する。また、前記Ｌ型部材の摺動板部分の天側端部（めくれ止め支持体の底部）と地側に一定の間隔を隔てて雌螺子を設け、そのいずれかの雌螺子に、上記凹溝に設けられた空孔を貫通する螺子を螺着させて、前記凹溝の底部にＬ型部材を固定するようになされる。このように構成することにより、天側のめくれ止めが本の厚さ方向に作用できる距離の範囲は、［数１］に示した距離の範囲に前記取り付け板に設けた空孔の有効長（貫通した螺子が移動できる長さ）を加算したものとなる。また、摺動板部分の天地側に設けた雌螺子間の距離に相当する長さで、第一の手段よりさらに大きい本の版に対応できる。【００１４】  因みに、本の広範な厚さの範囲に対応する地側のめくれ止め支持体を配置する手段は、前記書物受け台の中央位置の地側の外側（上記凹溝の地側端部）に近接して前記書物受け台面に対してほぼ垂直の上向きにかつ、側面が天地方向に対面して突設された取り付け板があり、該取り付け板に上下方向に摺動可能に接している地側のめくれ止め支持体を、載置する本の厚さに適当な上下位置に調整し、該めくれ止め支持体の下部側面に設けられた雌螺子に、前記取り付け板に設けられた上下方向に縦長の空孔を貫通する螺子を螺着させて、該めくれ止め支持体が具備するめくれ止めが回転操作により本の見開きの地側縁部を押えるようになされる。このように構成すれば、地側めくれ止めが本の厚さ方向に作用できる距離の範囲は［数１］に示した距離の範囲に前記空孔の有効長（貫通した螺子が移動できる長さ）を加算したものとなり、広範な厚さの範囲に対応できる。【００１５】  以上のような、天側のめくれ止め支持体を書見台上へ配置する三様の固定手段を提案する理由は、出版される本の版の大きさ、厚さの範囲は極めて大きく、それに対して一種類の書見台で対応するには、場合により載置する本と書見台の大きさや寸法に不釣合いが生じるゆえ、本のジャンルや、或る程度の本の大きさの範囲を区別して、書見台の大きさや寸法に複数の種類を設けることが妥当であり、その種類に適した配置手段を選択するためである。【００１６】  請求項４の発明では、請求項１乃至３の書見台において、載置する本の版の大きさに対応して天側のめくれ止め支持体を天地方向に位置決めするために、凹溝に設けられた空孔を貫通する螺子を締緩する操作をその都度実施しなければならないので、その煩雑さを避けるために、請求項１、２，３のめくれ止め支持体の底部、摺動板、Ｌ型部材の摺動板部に設けられた前記凹溝の底部に螺着するための雌螺子の位置のいずれかに、螺着などの手段で固定され、凹溝底部の空孔を貫通して一定の長さを有する柱状部材の外端に設けられた頭部（又は螺子頭）と、平板を屈曲して、その外端に対して中央部位が凸面を形成し、該中央部位の側面に垂直な方向にばね弾性を有するばね座金とがあり、該ばね座金は前記中央部位に設けた孔に上記柱状部材が貫通し、該孔の周縁の側面が前記頭部の裏面（例えば螺子頭の座面）に接し、外端周縁の側面を一定の撓み量で前記凹溝底部の裏面に接触させ、そのばね力により���記めくれ止め支持体の底部、摺動板、Ｌ型部材の摺動板部のいずれかを前記凹溝底部に保持して天地方向に摺動させ（めくれ止め支持体を把持して）、めくれ止めが見開きの天側の縁部を拘束するのに適した位置に移動させる。このことにより、書見台の裏面に位置する螺子をその都度締緩するという煩わしさがなく、めくれ止め支持体の位置決めがやり易くなる。【００１７】  請求項５の発明では、請求項１乃至４の書見台の地側のめくれ止めに使用して、頁のめくれを完全に止めることが出来、頁めくりの際地側のめくれ止めの操作は行わず、頁めくりを容易に行えるようにしためくれ止めに関わるものである。載置された本の地側端側を受ける前記当て板の天側の面より天側に越えない位置に設けられた支持部材に固定され、前記書物受け台の中央位置に対して左右対称に天側に向かって突設され、その底面が書物受け台に対面した一対の板状体のめくれ止めであり、該めくれ止めの天側端はほぼ左右方向に直線乃至緩やかな凸曲線であり、その両端は少なくとも曲率半径１ｍｍ以上の凸曲線で面取りされた状態で両側端につながり、さらに取り付け位置に至り、かつ、前記天側端の側面は、その上下端の稜が紙葉の厚さより大きい０．２ｍｍ以上の面取りを有するか凸曲面となっている地側のめくれ止めである。【００１８】  従来、載置された本の見開きの地側縁部を拘束し、かつ、頁めくりを容易にするために、書物受け台の地側の本の側部を受ける支承部端の左右位置に、その中間の中央部位を凹形状として天方向に突設した一対の板状体の地側のめくれ止めを有する書見台が提案されているが、載置する本や、開かれている頁によっては、このような地側のめくれ止めだけでめくれを防止することは出来ず、また、めくれを拘束した状態でも見開きの形状が歪んで大層読書しずらくなり易い。本提案のように、天側にめくれ止めを併用すれば、前記のような地側のめくれ止めで完全にめくれを止めることが出来、かつ、見開きの形状が歪になることもない。また、天地側共にめくれ止めが紙面を押える天地方向の長さは通常の本の余白を押える程度であれば十分であり、余白を有する書籍であれば、めくれ止めが読書の妨げになることはない。また、余白がない場合に対処するには、めくれ止めを透明な材料で構成してもよい。【００１９】  このような形状のめくれ止めによる頁めくりの過程は、天側のめくれ止めを、その紙葉の通過を妨げない位置まで上向きに回転させた後、該紙葉をめくれ止めの下部から引き出し、紙葉の地側の縁部が、片方のめくれ止めの平滑な上面に覆い被さるようにし、そのまま前記の面上を斜め前方に滑らせるように引けば、自然に該紙葉の縁部は上記めくれ止めの天側端からはずれ、前記めくれ止めの底面に位置する前頁の紙面上に落下し、そのまま地側に引けば該紙葉は前記めくれ止めの底面下に差し込まれ紙葉の左右方向の移動が完結する。【００２０】  この紙葉の移動の過程において、めくれ止めの上面は接触面積が大きくかつ平滑で紙葉への応力集中が少ない。該紙葉の斜め前方への移動過程でめくれ止めの天側端中央寄りの端部に力が集中しやすくこの部分の左右方向の曲率が大きすぎると紙葉縁部の変形が生じやすいのでこの部分の面取りを有することが好ましい��また、この部分の曲率半径が可及的に大きく、かつ、これに繋がる側端が左右方向に対して可及的に小さい角度で取り付け位置に至るようにすれば、紙葉の縁部はこの側端に沿って天側端とその近傍の上面へ連続的に移動するので、頁めくりは更にやり易くなる。また、天側端の底面に繋がる側面が底面に垂直であれば、紙葉の縁部を地側方向に引く際の障壁となり、紙葉の縁部に変形や疵を発生しやすくなるゆえ、この部分は下向きの斜面を形成していることが望ましい。従って、天側端の端面は面取りを有するかまたは凸曲面であることが望ましい。【００２１】  請求項６の発明は、請求項５の地側のめくれ止めを広範な本の厚さの範囲に適応させるために、その書見台の受け面との距離を調整可能にする手段に関わるものである。地側のめくれ止めの書物受け台の受け面からの距離を固定しても、天側のめくれ止めの作用の相乗効果により載置する本の厚さはある程度の範囲で許容され、上記距離の設定は厳密なものではないが、天側のめくれ止めの［数１］に示したような回転角による距離の範囲が無いこと、および広範な本の厚さの範囲に対応するには、前記の距離を調整可能にすることが有効である。【００２２】  そのために、書物受け台の地側の中央位置の側面に接しまたは近接して、書物受け台の受け面に対してほぼ垂直の上向きにかつ、側面が天地方向に対面して突設された取り付け板と、該取り付け板の地側の背面に、相互に設けられた案内手段により上下方向に摺動可能に接し、かつ、上下方向に縦長の空孔を設けためくれ止め支持板と、該支持板の両側から左右に伸張し、前記書物受け台の地側側部に平行で、かつ、上記当て板面より天側に越えない位置に一対の腕を有し、該腕の両端に前記の形状のめくれ止めが天側方向に突設され、、前記めくれ止め支持板を前記取り付け板に接して上下に摺動させ、載置する本の厚さに適当な上下位置に調整して、前記支持板に設けた縦長の空孔を貫通する螺子を、前記取り付け板に設けられた雌螺子に螺着させて、載置された本の見開きの地側の縁部を拘束するようになされる。【００２３】  前記の手段によれば、前記空孔の有効長（雌螺子に契合した螺子が該空孔を貫通した状態で前記支持板が上下に移動できる距離）の範囲で、その書見台の受け面との距離を調整可能であることは自明である。なお、前記取り付け板の天側おもて面を前記当て板の書物受け面として使用してもかまわない。【００２４】  請求項７は下記の内容を示す。すなわち、天側に請求項１に記載しためくれ止め支持体を配置し、地側に請求項５，６に記載しためくれ止めを配置し、両者により見開きの天、地側の縁部を拘束するようにすれば、前記凹溝の有無にかかわらず、また、該凹溝に設けられた前記空孔による天側のめくれ止めの、版の大きさに対応する天地方向の位置調整の有無にかかわらず、該書見台の形状寸法に適合する特定の書籍に対しては、少なくとも確実にめくれを阻止することが出来且つ、頁めくりが容易になる効果を有することは自明であり、このような効果を有する技術の組み合わせは請求項１乃至６の書見台に限定する必要はない。【００２５】  請求項８の発明では、請求項１乃至７の書見台に適用し、また、その他の任意の書見台にも適用可能な、���くれ止めが軸心の回りに回転し、該めくれ止めが見開きの紙面を拘束するのに十分な回転の偶力が得られるめくれ止め支持体を提案する。本提案によるめくれ止め支持体は、屈曲した外周を有するカムと、その外周に接触して撓みを与えられ、該カムの回転による外周の接触点の変位により前記撓みの大きさに変化を与えられる板ばね、または線ばねと、、前記カムの回転軸と、該回転軸を支承する側板と、前記カムまたは、該カムと同軸に固定され外方に突出し該カムと一体に回転する腕と、上部に前記ばねを支承する面を有し、また、前記側板が側面に固定されている支持部材と、該支持部材の側面または、底面に、それに接している書見台の取り付け面（請求項１の凹溝の底面など）あるいは、書見台に具備する部品（請求項２に記載の摺動版、請求項３に記載のＬ型部材など）に固定するための、雌螺子などの固定手段を有する。前記腕に任意の形状のめくれ止めを連結した前記めくれ止め支持体を、書見台の所定の位置に配置し、前記めくれ止めを回転させ、載置された本の見開きの縁部を拘束するようにする。【００２６】  前記のようなめくれ止め支持体を使用する場合、前記カムの外周面から与えられるばねの撓みによるばね力により該カムとの接触面に生じる摩擦力と、該カムの軸心からその外周の摩擦力の作用点までの距離を乗じた偶力の作用で、前記めくれ止めが、本の見開きをその反発力に抵抗して押えるようになされる。該めくれ止めが見開きの紙面を拘束する回転の偶力は、前記ばね力に比例し、該ばね力と繰り返し使用に耐える応力に対する板厚、板幅、撓み量などの諸元を検討し、十分な回転の偶力と寿命が得られるめくれ止め支持体の設計を行う。【００２７】  このようなめくれ止め支持体を使用する利点は、
▲イ▼ばねの形状、寸法、撓み量、およびカムの形状、寸法により、該カムの回転の偶力を、めくれ止めが本の見開きを固定するのに必要十分な水準に設定することが出来る。
▲ロ▼後述の実施例に示すように、カムの形状の設定により、頁めくりの際紙面の拘束から離脱させるためにめくれ止めを後方に回転させる途中の設定された或る角度から、頁めくりに障害にならない或る設定角度位置まで自動的に回転移動するように出来、めくれ止めの回転操作が早くかつ確実となり、頁めくりの操作を大層やりやすくすることが出来る。
▲ハ▼このめくれ止め支持体を、請求項１乃至６の書見台の所定の個所に取り付けられるようにし、請求項１乃至６の書見台を実現することが出来た。またユニットであるゆえ一部品として任意の書見台にも適用できる。【００２８】  請求項９の発明では、請求項８に提案しためくれ止め支持体と同様、めくれ止めが軸心の回りに回転し、該めくれ止めが見開きの紙面を拘束するのに十分な回転の偶力が得られるめくれ止め支持体であり、本提案によるめくれ止め支持体は、平板を屈曲して、その外端に対して中央部位が凸部を形成し、該中央部位の側面に垂直方向にばね弾性を有するばね座金と、該ばね座金の外端周縁の側面が、直接または平板状の摩擦板を介在させて摺動可能に接する平板状の回転体と、該回転体を支承する軸と、該軸を支承し、前記ばね座金に軸方向に一定の撓みを与え、かつ、前記軸回りの回転を拘束する手段を具備し、また、前記ばね座金が、前記回転体の片側面のみに接して配置される場合は、その反対側の面に直接又は前記摩擦板を介在させて摺動可能に接する座面を設けた側板と、前記回転体の外周又は該回転体と同軸に固定され外方に突出し該回転体と一体に回転する腕と、前記側板が側面に固定されている支持部材と、該支持部材の底面又は側面を、該底面又は該側面に接している書見台の取り付け面（請求項１の凹溝の底面など）あるいは、書見台に具備する部品（請求項２に記載の摺動版、請求項３に記載のＬ型部材など）に固定するための、雌螺子などの固定手段を有し、前記腕に連結された任意の形状を有するめくれ止めを連結しためくれ止め支持体を書見台の所定の位置に配置し、前記回転体に接する前記ばね座金の撓みによるばね力によって生じる前記回転体の回転の摩擦力により、本の見開きの縁部を拘束するようにする。【００２９】  このような構成で、前記ばね座金の撓みの大きさにほぼ比例するばね力が前記回転体の側面に作用し、それにより生じる回転方向の摩擦力と回転体の軸心から摩擦力の作用点までの平均距離とを相乗した偶力が、本の見開きを拘束するのに十分なように前記中央部位の撓みの大きさを設定するようになされる。また、前記腕が上記回転体の外周に固定されている場合では、ばね座金の軸方向の拘束位置（前記中央部位の外側面）を螺子送りで調整してばね座金の撓み量を増減し、載置する本に合わせて必要な回転の偶力のレベルに設定することができる。【００３０】  このようなめくれ止め支持体を使用する利点は、
▲イ▼ばね座金は小型で大きいばね力が得られる特徴があり、それゆえ小型で十分な回転の偶力が得られる。また、載置する本により、その見開きの反発力の大きさに合わせた凡その偶力の大きさに螺子送りで調整し、摺動面の過剰な圧力による磨耗を軽減しかつ、めくれ止めの回転操作もその偶力が過剰にならずやり易くなる。
▲ロ▼請求項１乃至６の書見台の所定の個所に取り付けられるようにし、請求項１乃至６の書見台を実現することが出来た。また、めくれ止め支持体をユニットとして任意の書見台にも適用できる。また、本めくれ止め支持体に使用するばね座金が小型で扁平であるゆえ、めくれ止め支持体を小型に構成することができるので、版の大きさの小さい本に限定した小型の書見台に使用しても好適である。
【発明の効果】
【００３１】天地側にめくれ止めを使用するとともに、本発明により、軸心の回りに回転するめくれ止めを具備するめくれ止め支持体を、書見台の中央の天地方向に沿って、載置する本の版の大きさに適合する位置に固定して、前記めくれ止めにより本の見開きの天側の縁部を拘束するようにし、また、天地側共に、書物受け台面に対するめくれ止めの上下方向位置を調整できるようにし、広範な本の版の種類や厚さに適用できるようにした。また、地側のめくれ止めの形状を工夫することにより、天側のめくれ止めの拘束紙面からの脱着のための前後への回転操作だけで地側のめくれ止めは固定した状態で、頁めくりを迅速に実施できるようにした。また、軸心の回りに回転するめくれ止めが本の見開きを拘束するに十分な回転の偶力を有し、該めくれ止めを具備する支持体をユニットとして書見台の任意の取り付け位置または書見台が具備する部品へ取り付け可能とすることにより前記のような書見台を実現することができた。
【発明を実施するための最良の形態】
【００３２】  図１，２に示す第１実施例の書見台１は書物受け台２ａ，２ｂの中間に位置し、載置する本の綴じ部の凸起を嵌入する凹溝３と、本の地側の側部を受け該本の天地方向の位置決めを行うための当て板４ａ，４ｂがある、また、地側に突設された取り付け板５に上下方向に高さ調整可能に接している地側のめくれ止め支持体６ａが、取り付け板５に設けられた縦長の空孔７を貫通する螺子８で螺着される。めくれ止め支持体６ａには、軸心９ａの回りに回転する腕１０ａに固定されためくれ止め１１ａ、１１ｂがあり、見開きの地側の縁部を拘束するようになされる。【００３３】  凹溝３の底部１２の天側寄りに設けた縦長の空孔１３を貫通する螺子１４により、天側のめくれ止め支持体６ｂが凹溝３の底部１２に、以下に示す三種類の手段により直接または間接的に螺着され、軸９ｂの回りに回転する腕１０ｂに固定されためくれ止め１５ａ、１５ｂがあり、見開きの天側の縁部を拘束するようになされる。以下に三様の螺着手段につき図に従って説明する。因みにめくれ止め支持体６ａ、６ｂは後述の図１６乃至２３にその構成例を記述する。【００３４】  図３に示す第１の手段は、めくれと止め支持体６ｂの底部を、めくれ止め１５ａ、１５ｂが軸心９ｂの回りの回転操作により、載置された本１６の天側縁部を拘束する位置に空孔１３を貫通する螺子１４で底部１２へ螺着する。【００３５】  図４、５に示す第２の手段は、図５に示す短冊状の摺動板１７の端部に雌螺子１８ａと、間隔をおいて雌螺子１８ｂがあり、皿螺子用の座ぐりを有する取り付け穴１９ａ、１９ｂを貫通する皿螺子２０ａ、２０ｂでめくれとめ支持体６ｂの底部を摺動板１７へ螺着して、その摺動板１７を凹溝３に、該凹溝の底部１２と、側壁２１に接して摺動可能に嵌入し、雌螺子１８ａを天側にして、雌螺子１８ａ、１８ｂのいずれかに、めくれ止め１５ａ、１５ｂが軸心９ｂの回りの回転操作により載置された本１６の天側縁部を拘束する位置に、空孔１３を貫通する螺子１４で底部１２へ螺着する。【００３６】  図６、７に第３の手段を示す。、図７に示すＬ型部材２２の摺動板部２３にはその長手方向に間隔を置いて雌螺子２４ａ、２４ｂがあり、摺動板部２３に直角に繋がる取り付け板部２５には縦長の空孔２６がある。図６において、摺動板部２３は凹溝３に該凹溝の底部１２と側壁２１に接して摺動可能に嵌入し、また、天側のめくれ止め支持体６ｂと取り付け板部２５がめくれ止め支持体６ｂの側壁２８と取り付け板部２５の側縁２７（図７を参照）を案内面として上下方向に摺動可能に接し、めくれ止め１５ａ、１５ｂが軸心９ｂの回りの回転操作により、載置された本１６の天側縁部を拘束する位置に調整し、めくれ止め支持体６ｂは空孔２６を貫通する螺子２９により取り付け板部２５に、また、Ｌ型部材２２は空孔１３を貫通する螺子１４により、摺動板部２３が底部１２に接して雌螺子２４ａ，２４ｂのいずれかに螺着する。【００３７】  図８に図１の天側を見た正面の断面図を示す。凹溝３の側壁２１は広範な本の厚さに対応するために、凹溝３の上部が開いた状態の傾斜を有することが好ましく、また、書物受け台２ａ、２ｂは過剰な見開きの変形を与えないように、或る程度の左右方向の傾斜を有することが望ましい。また、見開きの左右はほぼ同じ高さに保持すれば見やすく、したがってめくれ止め１５ａ、１５ｂは左右に亙り平板状でかつ、ほぼ水平に保つようにすればよく、また、本により上下の縁部に余白のない場合があるゆえ、アクリル樹脂などの透明な樹脂板を用いるとよい。また、地側のめくれ止め１１ａ、１１ｂについても同様である。図１，２に地側の脚３０ａ、３０ｂ、図２、図８に天側の脚３１ａ、３１ｂ、倒脚された状態の補助脚３２、その補助脚３２を立脚および倒脚するための保持具３３ａ、３３ｂを示す。【００３８】  図９に示す第２実施例は、第１実施例の図３，４，６において、めくれ止め支持体６ｂの底部、摺動板１７またはＬ型部材２２を螺子１４で螺着する方法に替わり、螺子１４で螺着する雌螺子１８ａ、１８ｂ、２４ａ、２４ｂなどのいずれかに、図９では雌螺子１８ａ（図４参照）への螺着により摺動板１７に固着され空孔１３を貫通して突設された柱状部材３４と、その外端に固定された頭部３５があり、弾性を有する平板を屈曲させて中央に凸面を形成したばね座金３６を、柱状部材３４が貫通し、該ばね座金３６の中央の側面が頭部３５の裏面に接し、外側側面が凹溝３の底部１２の裏面に接触し一定の撓み量を与えられて装着されている。このように装着されたばね座金３６のばね力により摺動板１７は凹溝３の底部１２に押し付けられ、この状態で天地方向に摺動可能であり、めくれ止め支持体６ｂを手で天地方向に直接移動させることにより位置決めすることができる。なお凹溝３の底部１２の裏面にはばね座金３６が柱状部材３４の回りに回転不可に天地方向に摺動する案内面となる側壁３７が両側に設けられている。【００３９】  図１０に示す第２実施例の書見台３８は、頁めくりを迅速に行うために第１実施例の書見台１において、地側のめくれ止めの回転操作を行わないように地側のめくれ止めの構成を変更したものである。書物受け台２ａ，２ｂの地側端に本の端部を受ける支承面を兼用する支持部材３９，４０の上端に板状のめくれ止め４１，４２が固定されている。【００４０】  図１１は図１０の第２実施例の書見台３８の中央位置に対して左右対称な地側の左側の部分平面図である。前記板状のめくれ止め４１は、その面が左右方向にほぼ水平で、書物受け台２ａの天地方向にほぼ平行であり、天側端４１ｆは左右方向にほぼ直線乃至緩やかな凸曲線でその右端４１ｇは少なくとも曲率半径３ｍｍ以上の凸曲線で面取りされている。【００４１】  頁めくりの際、天側のめくれ止め１５ａ，１５ｂを見開きの拘束位置から後方へ紙葉の通過を妨げない位置（図１０の錯線描画位置）まで回転させた後、該紙葉を、例えば右側のめくれ止め４２（図１０参照）の下部から引き出し左側のめくれ止め４１の上面へ被さるようにしたときの紙葉の地側端縁の凡その位置を錯線ｂで示し、その後、若干の張力を与えながら斜め前方へ、めくれ止めの上面に紙葉の縁部を滑らせ、錯線ａは紙葉の地側端縁がめくれ止めの天側端４１ｆからはずれる寸前までに至った位置を示し、はずれる位置が丁度めくれ止めの天側端の右端４１ｇの面取り部分となるゆえ、この面取りの曲率半径が小さすぎると、この位置で紙葉の地側端縁に応力が集中し、変形や疵が���生しやすい。前記の紙葉への張力を過剰に与えないという前提で、３ｍｍ程度の曲率半径であれば変形や疵は殆ど認められない。【００４２】  図１２は図１１のＡ−Ａ’断面から左側を見た側面図である。図１１の紙葉の地側端縁をａ位置から更に天側へずらすと該紙葉４３は見開きの上面４４上に落ち、その後、地側へ引くと該紙葉４３はめくれ止め４１の底面下に差しこまれる。この際に、めくれ止め４１の天側側面４１ｈの下部稜角が底面に対して直角であれば、この側面が衝壁となり紙葉の縁部を些少でも変形させる原因となる。したがって、紙葉の厚さより大きい０．２ｍｍ程度以上の面取りを有することが好ましい。また、紙葉の通過の際、応力の集中をさけるために、上面端の面取りもあったほうがよい。あるいは、天側側面４１ｈは凸面であっても同様の効果が得られる。【００４３】  図１３に示す書見台の地側左側の部分平面図は、図１１のめくれ止め４１の最適な形状を示す応用例である。書見台の中央位置に対して左右対称な一対の地側のめくれ止めの左側のめくれ止め４５は本の端部を受ける支承面を兼用する支持部材４６の上端に固定され、その下面はめくれ止め４１と同様に書物受け台２ａの面に対向している。天側端４５ｆの右端４５ｇの凸曲線に繋がる側端４５ｈの接線ｃの左右方向に対する勾配が、頁めくりの際、めくれ止め４５の上面を紙葉の地側縁部が天側へ移動し、めくれ止めの右端４５ｇからはずれる際の錯線ｄで示す位置の該紙葉の地側端縁の勾配に可及的に近く設定される。このように設定すれば、４５ｇ、側端４５ｈを通過する際の応力の集中が極めて少ない。図１４は図１３のＢ−Ｂ’断面から左側を見た側面図である。天側端の側面４５ｉは図１１のめくれ止め４１より上下に厚さが大きく且つ、図示のように曲率半径の大きな凸面を形成しており、前記紙葉の地側端縁が該側面に接触しながら上下に移動する際の応力集中が少ない。このようなめくれ止めの形状により、頁めくりの際、紙葉に与える過剰な張力に対しても些少の疵や変形を生じることがなく、頁めくりが大層やり易くなる。また、前記天側端の側面４５ｉのめくれ止めの底面に向かう厚さの大きい斜面は本を装着する際の案内面としても好都合である。【００４４】図１５に示す第３実施例の書見台４７は、第２実施例の書見台３８の地側のめくれ止めの書物受け台２ａ、２ｂの面からの距離を調整可能としたものである。凹溝３の地側端位置に、その天側の面が載置された本の地側の側部を受ける当て板を兼用する取り付け板４８が垂直に固定され、その地側の面に接して、縦長の空孔４９と、両翼に腕５０ａ、５０ｂを有し、めくれ止め５１ａ、５１ｂが固定されためくれ止め支持板５２が、案内壁５３により摺動可能に、載置された本の厚さに適当な上下位置に、空孔４９を貫通する螺子５４で螺着され、見開きの地側の縁部をめくれ止め５１ａ、５１ｂが拘束するようにする。因みに、めくれ止め５１ａの形状は図１３、１４のめくれ止め４５に相当し、５１ｂはその対称形として図示した。【００４５】図１６に示すめくれ止め支持体５５は第１乃至第３実施例の書見台に使用するめくれ止め支持体６ａ、６ｂとして好適なめくれ止め支持体の実施例の側面から見た断面図で、めくれ止め支持体５５は円弧状の外周面５６と平坦面５７を有するカム５８と、カム５８の外周の一部に外向きに突設された腕５９と、外周面５６の円弧の中心を貫通する軸６０と、軸６０を支承する一対の側板６１と、該側板がその側面に取り付けられている支持部材６２があり、また、側板６１の内面と、支持部材６２の上面と、内壁６３ａ、６３ｂに接しまた、腕５９が実線で図示されている角度θｏの位置において、カム５８の平坦面５７に接して、くの字状に成型された板ばね６４があり、支持部材６２には、底部を書見台の所定の個所（例えば図１の凹溝３）に螺着するための雌螺子６５、あるいは書見台が具備する部品（例えば図６，７のＬ型部材２２）に螺着するための雌螺子６６などの取り付け手段を必要に応じて設ける。腕５９には任意の形状のめくれ止め６７が連結される。【００４６】書見台の所定の個所に配置されためくれ止め支持体５５は本の見開きの縁部を拘束するためにめくれ止め６７を▲１▼の←の経路で示す角度θｏから拘束位置の角度θｒまで回転させる過程で、先ず、カム５８の外周面５６と平坦面５７との境界点６８が板ばね６４との接触点となり、その接触点を移動させつつ、板ばね６４を下方へ撓ませ、そのばね力の分力と摩擦力により回転の偶力が生じ、引き続き角度θｑでの接触移行点６９に至り、接触移行点６９においてカム５８の板ばね６４との接触点は境界点６８から外周面５６へ移行し、その回転の偶力は外周面５６での摩擦力による偶力へ移行し拘束位置の角度θｒに至る。また、めくれ止め６７を▲２▼の←の経路で示す拘束位置の角度θｒの位置から角度θｏへ開放するために逆回転させる際にも、回転の偶力が生じる。これらの回転角と偶力の関係を図１７に示す。▲１▼は角度θｏ→角度θｒの経路での角度θと偶力、▲２▼は角度θｒ→角度θｏの経路での角度θと偶力の関係を示す。特に▲２▼の経路において、θｐの角度まで戻せばその後は負の偶力となり、手を放しても角度θｏの位置に自動的に復帰する。このことにより、めくれ止めの操作が大層やり易くなる。【００４７】  めくれ止め支持体５５のめくれ止め６７が見開きを拘束するのに必要な回転の偶力と、繰り返し使用に耐える板ばね６４の設計の事例につき以下に記述する。板ばね６４の寸法および図１６における各部位の寸法などを下記のように決める。
板ばね６４の板厚ｈ；０．５ｍｍ，幅ｂ；１０ｍｍ，外周面５６の円弧の半径Ｌａ；１２ｍｍ，めくれ止め６７の外端の回転半径Ｌｂ；４０ｍｍ，接触移行点６９と内壁６３ｂの間の距離Ｌｃ；８ｍｍ、接触移行点６９におけるばね力Ｆ；４０Ｎ、角度θｒでのめくれ止め６７の外端の回転方向の抵抗力の実測値ｆ；２．８Ｎ
ちなみに、接触移行点６９におけるばね力Ｆの値は、ばねの撓み量、屈曲部の曲率半径の大きさなどで調整することができる。接触移行点６９での摩擦係数をμとすると
【数３】
0005257808.tif 000004
の値は摩擦係数としてほぼ妥当なものである。また、上記のめくれ止め６７の回転の抵抗力ｆ；２．８Ｎの値は、見開きの縁部を拘束するために必要な値は左右あわせて最大２Ｎ程度であるゆえ、十分に余裕をもった値である。【００４８】  めくれ止め６７を操作する際に、最大の曲げモーメントになる角度θｒでの曲げモーメントをＭ，板ばね６４の断面係数をＺ，板ばね６４に発生する最大応力をσｍａｘとすると
【数４】
0005257808.tif 000005
の値は板ばね６４の材質が超硬質ステンレスばね鋼の場合、百万回以上の繰り返し使用に耐える値であり、実用的に十分である。【００４９】  板ばね６４のかわりに線ばねを使用してもよいが、接触面積が小さくなり磨耗が大きくなる危険を考慮し、かつ、案内面としてカム５８の外周面にＵ溝を成型するなどの対策が必要である。【００５０】  図１８示すめくれ止め支持体７０は図１６のめくれ止め支持体５５の応用例の正面から見た断面図で、図１６と同様のカム５８と、支持部材６２と、板ばね６４とを有し、支持部材６２の両側面に、図示されていない皿螺子で固定され、軸受７１を有する一対の側板７２と、軸受７１に支承され側板７２の両外側に伸張した軸７３があり、軸７３は圧入などの手段で中央位置にカム５８が固定され、両外端部には一対の腕７４が螺子止めされている。腕７４の外端には図示されていない任意の形状のめくれ止めが取り付けられる。このような構成のめくれ止め支持体７０は本の見開きを拘束する位置やめくれ止めの形状を任意に決めやすいという利点がある。めくれ止めの回転角と回転の偶力の関係はめくれ止め支持体５５の特性を示す図１７と全く同様である。【００５１】  図１９に示すめくれ止め支持体７５は第１乃至第３実施例の書見台に使用するめくれ止め支持体６ａ、６ｂとして好適なめくれ止め支持体の第２の実施例の正面から見た断面図であり、支持部材７６の側面に、図示されていない皿螺子で固定された側板７７，７８と、側板７７に一端を圧入固着して突設され、Ｄ字型に切り欠きを有する軸７９と、軸７９に回転自在に且つ軸方向に摺動自在にその中心孔を貫通された円板状の回転体８０と、回転体８０の外周の一部に固着され外方に突設された腕８１と、回転体８０の側面に接して摩擦板８２と、摩擦板８２に外周側面が接し、軸７９のＤ字型外周面に整合する中心の孔９０（図２０参照）が、軸７９に軸方向に摺動自在に、軸回りに回転が拘束された状態で挿入されたばね座金８３と、軸７９の外端に設けられた螺子に、側板７８に設けられた孔を貫通して螺合する雌螺子８４がある。支持部材７６には書見台の所定の個所に螺着するための雌螺子８５などの固定手段を設ける。また、腕８１の外方端部には図示されていない任意の形状のめくれ止めが連結されている。【００５２】  雌螺子８４をねじ送りすることにより、雌螺子８４の端部８６に押されたばね座金８３に軸方向の撓みが生じ、そのばね力により回転体８０の両側面が加圧され、摩擦板８２を介在してばね座金８３と回転体８０の間に生しる摩擦力により、めくれ止めが本の見開きの縁部を拘束するようになされる。【００５３】  めくれ止め支持体７５の設計事例につき以下に記述する。図２０は本事例のばね座金８３の平面図で、側縁８７ａ、８７ｂ方向に中央部位が凸面に湾曲し、８８ａ、８８ｂ位置で逆方向に屈曲させてそれに続く外側面が、図１９の取り付け状態で摩擦板８２の面へ密着するように回転体８０の側面に可及的に平行に成型する。
側縁８７ａ、８７ｂ間の長さ；１４ｍｍ、側縁８９ａ、８９ｂ間の長さ；１８ｍｍ、中心の孔９０の直；６ｍｍ、板厚；０．３ｍｍ、材質；焼き入れ焼き戻しをした工具鋼
摩擦板８２；ガラス繊維入りエポキシ樹脂、厚さ０．１５ｍｍ、直径２０ｍｍ
軸真から腕８１の外端までの長さ；４０ｍｍ
以上により、雌螺子８４をその端部８６がばね座金８３の側面に接触した位置から更にばね座金８３を圧縮すべくねじ送りし、そのねじ送り量と腕８１の外端での回転方向の起動摩擦力（図では拘束力として表示）の測定結果を図２１に示す。可能なねじ送りの範囲で見開きに対する十分な拘束力が得られ、載置する本に必要な程度の拘束力にねじ送りで調整すれば、操作の際必要以上に力をくわえる必要がなく操作がやり易くなる。なお図２１の拘束力はねじ送り量の増減に対して可逆的に変化するゆえ、ばね座金８３に発生する最大応力は弾性限界内であり、また頁めくりの度に撓み量が変化するような構成ではないゆえ、ばねの寿命を考慮する必要はない。【００５４】  図２２に示すめくれ止め支持体９１は、図１９のめくれ止め支持体７５の応用例の正面の断面図である。支持部材７６と、回転体８０と、摩擦板８２を有し、支持部材７６に固定され軸受９２を具備する側板９３と、軸受９４を具備する側板９５と、軸受９２，９４に支承され、側板９３，９５の外側に伸張する軸９６と、軸９６の両外端部に螺子止めされた一対の腕９７を有し、回転体８０は軸９６の中央位置に圧入などの手段で固着されており、回転体８０の両側面に摩擦板８２が接し、更に一方の摩擦板８２の外側面は軸受９２の端面に接し、もう一方の外側面はばね座金９８の外側側面が接し、ばね座金９８の内周側面は軸方向に一定の撓み量を与えられ軸受９４の側面に接し、側板９５（又は軸受９４）に突設されたピン９９がばね座金９８に設けられた孔１０１（図２３参照）に嵌入されており、軸９６の回りに回転するのを阻止されている。【００５５】本めくれ止め支持体９１の設計事例につき以下に記述する。図２３は本事例のばね座金９８の平面図で、その外周と面形状は図２０のばね座金８３とほぼ同じ、材質も同じである。また、摩擦板８２の材料、寸法、軸真から腕９７の外端までの長さも、めくれ止め支持体７５の設計事例と同じである。相違点は、板厚；０．２ｍｍ、中心の孔１００がＤ形状ではない。前記ピン９９が嵌入される孔１０１がある。以上により、ばね座金９８の撓み量を２．５ｍｍに設定し、腕９７の外端での回転方向の起動時の摩擦力（拘束力）２．３Ｎ程度が得られ、この値は本の見開きを拘束するために過剰ではなく、かつ、十分な数値である。【００５６】  図１９のめくれ止め支持体７５、図２３のめくれ止め支持体９１に使用するばね座金８３，９８は図のような形状に限定されるものではなく、歯つき、皿状など平板を成型し、中央部位に凸面を形成して該凸面に垂直方向のばね力を利用してなるばね座金は適正な設計寸法を得ることにより選択の対象となる。一般的に上記のようなばね座金は小型で大きなばね力が得られる特徴がありめくれ止め支持体を小型に構成できる利点がある。
【産業上の利用可能性】
【００５７】本発明による書見台は、見開きの保持が確実であること、頁めくりが簡単で容易であること、多様な本の種類に適応できることなど、機能性がよく大層使い易いという特徴がある。また、インテリアとしての機能美も備えている。教科書、参考書の学習用、お茶、コーヒーを飲みながらの読書用として好適である。生産方法は樹脂成型による大量生産が可能であり、また、けやきや黒檀などの高級木材を使用した木工品とすることも出来、産業上の利用価値を有する。
【図面の簡単な説明】
【図１】本発明の書見台の実施例１の斜視図である。
【図２】本発明の書見台の実施例１の裏面図である。
【図３】天側のめくれ止め支持体を書見台へ配置する第一の手段を示す側面の部分断面図である。
【図４】天側のめくれ止め支持体を書見台へ配置する第二の手段を示す側面の部分断面図である。
【図５】［図４］の第二の配置手段に使用する摺動板の斜視図である。
【図６】天側のめくれ止め支持体を書見台へ配置する第三の手段を示す側面の部分断面図である。
【図７】［図６］の第三の配置手段に使用するＬ型部材の斜視図である。
【図８】本発明の書見台の実施例１の断面から天側を見た正面図である。
【図９】天側のめくれ止め支持体を天地方向に摺動可能に配置する方法を示す側面の部分断面図である。
【図１０】本発明の書見台の実施例２の斜視図である。
【図１１】本発明の書見台の実施例２の地側の左側部分の平面図である。
【図１２】［図１１］のＡ−Ａ’断面から見た側面図である。
【図１３】［図１１］の地側めくれ止めの最適な形状を示す実施例の平面図である。
【図１４】［図１３］のＢ−Ｂ’断面から見た側面図である。
【図１５】本発明の書見台の実施例３の斜視図である。
【図１６】本発明のめくれ止め支持体の実施例１の側面断面図である。
【図１７】本発明のめくれ止め支持体の実施例１のめくれ止めの回転角と回転の偶力の関係を示すグラフである。
【図１８】本発明のめくれ止め支持体の実施例１の応用実施例の正面断面図である。
【図１９】本発明のめくれ止め支持体の実施例２の正面断面図である。
【図２０】［図１９］の実施例２に使用するばね座金の平面図である。
【図２１】本発明のめくれ止め支持体の実施例２の拘束力調整用のねじ送り量と拘束力の関係を示すグラフである。
【図２２】本発明のめくれ止め支持体の実施例２の応用実施例の正面断面図である。
【図２３】［図２２］の応用実施例に使用するばね座金の平面図である。
【符号の説明】
２ａ、２ｂ書物受け台
３凹溝
４ａ、４ｂ当て板
９ｂ軸心
１３空孔
１５ａ，１５ｂ（天側の）めくれ止め
１７摺動板
２２Ｌ型部材
３２補助脚
３４柱状部材
３６ばね座金
４８取り付け板
５１ａ、５１ｂ（地側の）めくれ止め
５２めくれ止め支持板
５８カム
６４板ばね
６８境界点
６９接触移行点
８０回転体
８２摩擦板
８４（拘束力調整用の）雌螺子
８６（雌螺子８４の）端部
【図１】
0005257808.tif 000006
【図２】
0005257808.tif 000007
【図３】
0005257808.tif 000008
【図４】
0005257808.tif 000009
【図５】
0005257808.tif 000010
【図６】
0005257808.tif 000011
【図７】
0005257808.tif 000012
【図８】
0005257808.tif 000013
【図９】
0005257808.tif 000014
【図１０】
0005257808.tif 000015
【図１１】
0005257808.tif 000016
【図１２】
0005257808.tif 000017
【図１３】
0005257808.tif 000018
【図１４】
0005257808.tif 000019
【図１５】
0005257808.tif 000020
【図１６】
0005257808.tif 000021
【図１７】
0005257808.tif 000022
【図１８】
0005257808.tif 000023
【図１９】
0005257808.tif 000024
【図２０】
0005257808.tif 000025
【図２１】
0005257808.tif 000026
【図２２】
0005257808.tif 000027
【図２３】
0005257808.tif 000028